(57)【特許請求の範囲】
【請求項１】
駆動用モータにより回転駆動されるスプロケット、及びこのスプロケットと噛み合う駆動チェーンを駆動系に有する搬送装置であって、
前記駆動用モータへの出力電流に基づき前記スプロケットの出力軸トルクを求め、この出力軸トルクと、前記駆動チェーンが噛み合うスプロケットのピッチ円半径ゲインとから前記駆動チェーンの張力を推定する演算部を有し、
前記駆動系は、前記駆動チェーンの下流側に連結され、それぞれ固有のスプロケットおよびチェーンを有する下流側駆動機構を有し、
前記演算部は、前記駆動チェーン及び前記下流側駆動機構に設けられたチェーンの脈動周波数が設定されたフィルタをそれぞれ有し、前記駆動チェーンの推定された張力信号を、これらフィルタの対応するものに通し、この駆動チェーンの張力信号から前記下流側駆動機構のチェーンの脈動振幅を張力信号として抽出する
ことを特徴とする搬送装置。
【請求項２】
前記演算部は、インバータから駆動用モータに供給される電流を検出する電流センサーからのセンサー信号に基づき、前記スプロケットの出力軸トルクを求めることを特徴とする請求項１に記載の搬送装置。
【請求項３】
駆動用モータに駆動電流を供給するインバータが、前記駆動用モータへの出力電流に基づくトルクモニタ波形の信号を内部生成する機能を有し、前記演算部は、このトルクモニタ波形の信号に基づき、前記スプロケットの出力軸トルクを求めることを特徴とする請求項１に記載の搬送装置。
【請求項４】
前記駆動チェーン、及び前記各下流側の駆動機構のチェーンの脈動周波数は、対応するスプロケット歯数、チェーンピッチ間隔、及び前記対応するスプロケットの回転速度から算出されることを特徴とする請求項１乃至請求項３のいずれかに記載の搬送装置。
【請求項５】
前記演算部は、
所定時間毎に前記駆動チェーン、或いは前記下流側駆動機構のチェーンの張力推定結果を用いて、当該のチェーン張力の特徴値を算出する特徴値算出処理手段と、
前記特徴値の時間変化を示す曲線を、過去の特徴値のデータも用いて算出する特徴値の変化傾向算出処理手段と、
現在のチェーン張力の特徴値が、前述した特徴値の時間変化曲線から外れているかどうかを判定する外れ判定処理手段とを有する
ことを特徴とする請求項１乃至請求項４のいずれかに記載の搬送装置。
【発明の詳細な説明】
【技術分野】
【０００１】
本発明の実施形態は、スプロケットと噛み合う駆動チェーンを駆動系に有する搬送装置に関する。
【背景技術】
【０００２】
エスカレータやオートロード、更には各種コンベアなどの搬送装置では、駆動用モータにより回転駆動されるスプロケット、及びこのスプロケットに噛み合う駆動チェーンが駆動系に用いられている。例えば、エスカレータの場合、駆動系には上述した駆動チェーンの他、下流側に手すりベルトや踏み段の駆動機構が連結されている。これら駆動機構は、それぞれスプロケット及びこれと噛み合うチェーンを有する。
【０００３】
このように駆動系にチェーンを有する搬送装置では、チェーンの保守管理が重要であり、その自動点検方法等に関する提案がなされている。例えば、駆動チェーンの伸び量を検出するため、駆動用モータを正転及び反転させてチェーンのたるみ量を測定し、チェーンの伸び量を精度良く算出する提案がある（例えば、特許文献１参照)。また、エスカレータの場合、各踏み段の側面にピンを配置し、運転中に各ピンの通過時刻を検出して、通過時刻の差から、各踏み段チェーンの伸びを測定する提案もある（例えば、特許文献２参照)。
【先行技術文献】
【特許文献】
【０００４】
【特許文献１】特許第５２０９０１５号公報
【特許文献２】特許第４９１５３９１号公報
【発明の概要】
【発明が解決しようとする課題】
【０００５】
前述した特許文献１、及び特許文献２に記載の従来技術は、チェーンの伸び量を測定することにより、チェーンの劣化状態や異常を検出する方法である。
【０００６】
しかし、チェーンの伸び量だけで異常や故障を検出する従来技術の場合、実際の異常発生から、検出までにタイムラグを生じるという問題があった。例えば、従動スプロケットのベアリングが何らかの原因でグリス切れ等の不具合を起こした場合、まずチェーンの負荷張力が増加し、その状態が長期間継続した結果、チェーンに伸びが生じる。このため、チェーンの伸び量を検出した時点では、不具合発生から多くの時間が経過してしまっている。
【０００７】
また、従来技術では、チェーンの伸びが進展しないと検出できないため、異常を検出した段階では、チェーンにダメージが及んでいるという問題がある。
【０００８】
さらに、従来技術では、チェーンのたるみを測定するために通常運転を停止して、専用の診断運転を実施しなければならない。このため、運転時間中には点検が実施できず、運転中に生じた突発的な異常は検出できないという問題がある。
【０００９】
本発明は、通常運転を停止することなく、チェーンを有する駆動系の異常や故障の発生を速やかに検出し、チェーンにダメージが生じる前に対処することができる搬送装置を提供することにある。
【課題を解決するための手段】
【００１０】
本発明の実施の形態に係る搬送装置は、駆動用モータにより回転駆動されるスプロケット、及びこのスプロケットと噛み合う駆動チェーンを駆動系に有する搬送装置であって、  前記駆動用モータへの出力電流に基づき前記スプロケットの出力軸トルクを求め、この出力軸トルクと、前記駆動チェーンが噛み合うスプロケットのピッチ円半径ゲインとから前記駆動チェーンの張力を推定する演算部を有し、前記駆動系は、前記駆動チェーンの下流側に連結され、それぞれ固有のスプロケットおよびチェーンを有する下流側駆動機構を有し、前記演算部は、前記駆動チェーン及び前記下流側駆動機構に設けられたチェーンの脈動周波数が設定されたフィルタをそれぞれ有し、前記駆動チェーンの推定された張力信号を、これらフィルタの対応するものに通し、この駆動チェーンの張力信号から前記下流側駆動機構のチェーンの脈動振幅を張力信号として抽出することを特徴とする。
【図面の簡単な説明】
【００１１】
【図１】本発明の一実施の形態に係る搬送装置の駆動系を示す構成図である。
【図２】図１で示した本発明の一実施の形態の実施例１を示す構成図である。
【図３】図２で示した実施例１の演算部の構成を示す機能ブロック図である。
【図４】図１で示した本発明の一実施の形態の実施例２を示す構成図である。
【図５】図４で示した実施例２の演算部の構成を示す機能ブロック図である。
【図６】図１で示した本発明の一実施の形態の実施例３における演算部の構成を示す機能ブロック図である。
【図７】一般的なチェーンとスプロケットとの関係を説明する図である
【図８】チェーンに生じる速度変化を説明する図である。
【図９】本発明の一実施の形態における駆動チェーンの張力波形を示す波形図である。
【図１０】図９で示した波形を周波数分析した結果を示す図である。
【図１１】図１で示した本発明の一実施の形態の実施例４における演算部の構成を示す機能ブロック図である。
【図１２】図１１で示した実施例４における外れ判定処理を説明する特性図である。
【発明を実施するための形態】
【００１２】
以下、本発明の実施の形態について、図面を参照して詳細に説明する。
【００１３】
この実施の形態では、搬送装置としてエスカレータを例示しており、図１により、その駆動系を説明する。
【００１４】
図１において、駆動用モータ１の動力はＶベルト２で減速機３へ伝達される。この駆動用モータ１は、制御盤４内に設けられたマイコンなどの演算部１６及びインバータ１７により、回転加速度、速度、トルクなどが制御される。減速機３の回転出力軸には駆動側のスプロケット８が一体に設けられている。このスプロケット８には、エスカレータの上階側床下内に設けられた従動側のスプロケット９との間に無端状の駆動チェーン５が巻き掛けられており、それぞれこの駆動チェーン５と噛み合っている。
【００１５】
上述した従動側のスプロケット９の回転軸には、後述する駆動機構用のスプロケット１０，１１がそれぞれ同軸に設けられている。
【００１６】
スプロケット１０は踏み段６を移動させる踏み段用のチェーン７と噛み合っており、踏み段６の駆動機構を構成する。また、スプロケット１１は、手摺ベルト用のチェーン１２を介して従動側のスプロケット１３と噛み合っており、手摺ベルト１５の駆動機構を構成する。なお、従動側のスプロケット１３は、駆動シーブ１４と一体に回転し、この駆動シーブ１４の回転により手摺ベルト１５を長さ方向に移動させる。
【００１７】
このように、スプロケット８に噛み合う駆動チェーン５の下流側に踏み段６の駆動機構、及び手摺ベルト１５の駆動機構が連結され、これらにより搬送装置の駆動系が構成される。このため、減速機３の回転に同期して、踏段６と手摺ベルト１５が所定方向に駆動される。
【００１８】
本発明の実施の形態では、上述の搬送装置の駆動系において、駆動チェーン５の張力を検出することにより駆動チェーン５そのもの、及びこの駆動チェーン５に連結される下流側の各駆動機構に生じる不具合を早期に検出する。そのための具体的実施例を以下説明する。
【００１９】
（実施例１）
図２を用いて、実施例１のハードウエア構成を説明する。本実施例では、インバータ１７から駆動用モータ１への出力電流波形を検出する電流センサー２１を設ける。マイコン等による演算部（以下、マイコンとして説明する）１６は、電流センサー２１が検出する電流値に基づき、スプロケット８の出力軸トルクを求める。そして、この出力軸トルクと、駆動チェーン５が噛み合うスプロケット８のピッチ円半径ゲインとから駆動チェーン５の張力を推定し、その結果を監視センター５０などへ送信する。
【００２０】
すなわち、駆動用モータ１の駆動電流を検出する電流センサー２１と、電流センサー２１の信号を検出し、駆動チェーン５の張力を算出するマイコン１６とを、通常のエスカレータ設備に追加した構成とする。
【００２１】
次に、図３を用いて、マイコン１６内で実施する信号処理を説明する。マイコン１６に入力された駆動用モータ１への出力電流波形に、予め設定した電流／トルク換算定数４１を乗じて、モータ１の駆動トルクを算出する。次いで、減速機３での減速比によって定まる減速機出力トルク換算ゲイン４３を乗じて、減速機３の出力軸トルクを算出する。次いで、減速機出力軸に設置された、駆動側のスプロケット８のピッチ円半径ゲイン４４を乗じて、駆動チェーン５の張力を算出し、推定する。
【００２２】
以上の構成により、本実施例では、モータ１への出力電流値から、駆動チェーン５の張力値を検出することができるため、駆動チェーン５によって駆動される下流の機器の異常や故障によって生じた負荷の増加を、駆動チェーンの張力異常として、即座に検出することができる。また、モータ１の電流検出は運転中に実施できるため、運転を継続したまま点検が可能となる。
【００２３】
（実施例２）
図４を用いて、実施例２のハードウエア構成を説明する。本実施例では、駆動用モータ１を速度一定に駆動するインバータ１７として、駆動用モータ１への出力電流に基づきモータトルクをモニタする機能を有するものを用いている。そして、マイコン１６は、このトルクモニタ波形の信号からスプロケット８の出力軸トルクを求める。
【００２４】
すなわち、インバータ１７は、内部で制御上生成されるトルクモニタ波形を、外部に出力可能なものとする。また、マイコン１６は、インバータ１７のトルクモニタ波形の信号を検出し、駆動チェーンの張力を算出する。
【００２５】
図５は実施例２のマイコン１６で実施する信号処理を説明する。マイコン１６にはインバータ１７で内部生成されたトルクモニタ波形が入力される。入力されたトルクモニタ波形の信号は、内部トルクモニタ波形／モータトルク換算係数５１を乗じて、モータトルク信号に換算される。これ以降の処理は前述した実施例１と同じであり、減速機３での減速比によって定まる減速機出力トルク換算ゲイン４３を乗じて、減速機３の出力軸トルクを算出し、減速機出力軸に設置された、駆動側のスプロケット８のピッチ円半径ゲイン４６を乗じて、駆動チェーン５の張力を算出し、推定する。
【００２６】
これらの構成により、実施例１と同様に駆動チェーン５の張力値を検出することができるため、駆動チェーン５によって駆動される下流の機器の異常や故障によって生じた負荷の増加を、駆動チェーンの張力異常として、即座に検出することができる。また、運転を継続したままの点検も可能となる。
【００２７】
さらに実施例２では、モータ１の電流値を電流センサーで検出せず、インバータ１７の内部で生成されたトルクモニタ波形の信号をマイコン１６に直接入力している。従って、実施例１で用いた電流センサー２１を設置すること無く、駆動チェーン５の張力の異常を検出することが可能となる。
【００２８】
(実施例３）
本実施例を図６に示す。図６はマイコン１６が実行する機能実現手段を示しており、駆動チェーン５の張力算出手段６０、駆動チェーン５の脈動周波数除去フィルタ６１、手摺ベルト用チェーン１２の脈動周波数除去フィルタ６２、踏み段用チェーン７の脈動周波数除去フィルタ６３、及びチェーン脈動周波数算出手段６４を有する。これらの詳細は後述する。
【００２９】
ここで駆動系は、図１で示したように、駆動チェーン５の下流側に連結された駆動機構（踏み段６の駆動機構、手摺)ベルトの駆動機構）を有している。そして、これら下流側の駆動機構は、それぞれ固有のスプロケット１０，１１，１３およびチェーン７，１２を有する。この実施例３では、駆動チェーン５の張力を基に、下流側の駆動機構を構成するチェーン７，１２の張力を検出し、これらの不具合発生を捉えようとするものである
そのために、マイコン１６は、駆動チェーン５、及び下流側駆動機構に設けられたチェーン７，１２の脈動周波数が設定されたフィルタ６１，６２，６３をそれぞれ有し、駆動チェーン５の推定された張力信号を、これらフィルタ６１，６２，６３の対応するものに通すことで、この駆動チェーン５の張力信号から下流側駆動機構のチェーン７，１２の脈動振幅を張力信号として抽出する。
【００３０】
以下、詳細に説明するが、この説明の前に、一般的に知られているチェーンの速度変動（脈動）現象の特徴を、図７〜図１０を用いて説明する。
【００３１】
チェーンは、図７に示すように、ローラｒ０、ｒ１、・・・間が直線リンクＬ１、Ｌ２、・・・で接続されており、スプロケットＳと多角形で接続する。このため、駆動スプロケットＳが一定の角速度で回転した場合でも、チェーン速度には脈動が生じる。この脈動速度は理論的に、下記式（１）、（２）で算出され、チェーンピッチＰ、駆動側スプロケットのピッチ円半径Ｒによって、脈動速度が決まる。
【数１】
0005963332.tif 000002
【数２】
0005963332.tif 000003
【００３２】
すなわち、チェーンの脈動周波数は、対応するスプロケット歯数、チェーンピッチ間隔、及び対応するスプロケットの回転速度から算出される
上述した式（１）で求められるＸ１は、スプロケットＳの回転に伴うチェーンのリンク位置の時間変化を表す。また、式（２）で求められるｖ１はＸ１位置での速度を表しており。これらによって求められたチェーンの速度変動波形の計算結果の一例を図８に示す。図８ではチェーンのローラが水平部で１ピッチＰ進む時間ｓの中で振幅αの脈動が１回発生することを表している。すなわち，ｓは速度変化（脈動）の時間周期、αは脈動の振幅である。なお、図８では縦軸を張力としているが、これは速度変動（脈動）に伴って張力が同様に変化することを表している。
【００３３】
次に、図１で示した一般的なエスカレータの駆動チェーン５における、チェーン張力の脈動の様子を説明する。エスカレータの駆動チェーン５の下流側には、前述のように、踏み段６用のチェーン７，手摺ベルト１５用のチェーン１２が接続されており、これらのチェーン７，１２も、それぞれ特有の脈動周波数を有する。そのため、上流の駆動チェーン５には、下流のチェーン７，１２の脈動周波数も混在する。
【００３４】
この駆動チェーン５の張力波形の一例を図９に示す。低周波数の振幅に高周波数が合わさった波形となっている。これを周波数分析した結果を図１０に示す。駆動チェーン５の脈動周波数ｆｏと、踏み段チェーン７の脈動周波数ｆｓ、及び手摺用チェーン１２の脈動周波数ｆｈが混在していることが、この周波数分析結果からも分かる。
以上のチェーン張力の脈動メカニズムを踏まえて、図６に示した実施例３を詳細に説明する。
【００３５】
駆動チェーン５の張力算出手段６０は、前述した実施例１又は実施例２の手法により駆動チェーン５の張力を算出する。チェーン脈動周波数算出手段６４により、駆動チェーン５，踏み段用チェーン７，手すりベルト用チェーン１２のそれぞれの脈動周波数を、式（３）を用いて算出する。すなわち、それぞれのチェーン５，７，１２の駆動側のスプロケット８，１０，１１のピッチ円半径Ｒ、及びチェーンピッチＰに基づき算出する。なお、これら各脈動周波数の数値は、都度算出せずに、予め求めておいた値を用いてもよい。
【００３６】
駆動チェーンの脈動周波数除去フィルタ６１、手摺ベルト用チェーンの脈動周波数除去フィルタ６２、踏み段用チェーンの脈動周波数除去フィルタ６３は、チェーン脈動周波数算出手段６４で算出された対応するチェーンの脈動周波数がそれぞれ設定されており、入力波形から設定された脈動周波数を除去する。
【００３７】
このような構成において、駆動チェーン５の張力算出手段６０は、実施例１又は実施例２の手法により算出した駆動チェーン５の張力信号を出力すると共に、この張力信号を駆動チェーンの脈動周波数除去フィルタ６１、手摺ベルト用チェーンの脈動周波数除去フィルタ６２、踏み段用チェーンの脈動周波数除去フィルタ６３に流す。
【００３８】
駆動チェーン５の張力信号は図９及び図１０で説明したように複数の周波数が重畳されたものである。したがって、上述した各フィルタ６１，６２，６３の対応するものを通すことにより、下流側チェーン７，１２の脈動振幅を張力信号として抽出することができる。
【００３９】
すなわち、駆動チェーン５の張力信号を、まず駆動チェーンの脈動周波数除去フィルタ６１に流すことにより、このフィルタ６１にて処理され、駆動チェーン５の脈動成分が除去される。この駆動チェーン５の脈動成分が除去された信号を、手摺ベルト用チェーンの脈動周波数の除去フィルタ６２に通すと、手摺ベルト用チェーン１２の張力変動成分のみが除去され、残る踏み段用チェーン７の脈動振幅が張力信号として抽出され、得られる。同様に、駆動チェーン５の脈動成分が除去された信号を、踏み段用チェーンの脈動周波数除去フィルタ６３に通すと、踏み段用チェーン７の張力変動成分のみが除去され、残る手摺ベルト駆動用チェーン１２の脈動振幅が張力信号として抽出され、得られる。
【００４０】
すなわち、駆動チェーン５及び下流側駆動機構に設けられたチェーン７，１２の脈動周波数が設定されたフィルタ６１，６２，６３を用い、駆動チェーン５の推定された張力信号を、これらフィルタ６１，６２，６３の対応するものに通し、この駆動チェーン５の張力信号から下流側駆動機構のチェーン７，１２の脈動振幅を張力信号として抽出している。
【００４１】
以上、この実施例３では、モータ電流から、駆動チェーン５の張力だけでなく、踏み段用チェーン７の張力信号、手摺りベルト用チェーン１２の張力信号をそれぞれ算出できる。このため、これら下流側駆動機構用のチェーン７，１２の張力の異常をも個別に検出でき、速やかに異常発生個所を特定できる。
【００４２】
（実施例４）
この実施例４では、所定時間毎に、実施例３で求めた駆動チェーン５、或いは下流側駆動機構のチェーン７，１２の張力推定結果を用いて、当該のチェーン張力の特徴値（例えば平均値）を算出し、これら特徴値の時間変化を示す曲線を、過去の特徴値のデータをも用いて算出する。そして、現在のチェーン張力の特徴値が、前述した特徴値の時間変化曲線から外れているかどうかを判定するものである。以下、図１１を用いて詳述する。
【００４３】
図１１は、実施例４におけるマイコン１６で実施する信号処理を説明している。このマイコン１６は、チェーン張力算出処理手段７１、所定時間分の張力信号の特徴値算出処理手段７２、外れ判定処理手段７３、異常発報処理手段７４、及び特徴値の変化傾向算出処理手段７５を有する。
【００４４】
チェーン張力算出処理手段７１は、前述した実施例３の手法で、駆動チェーン５、或いは下流側駆動機構のチェーン７，１２の張力信号を算出する。特徴値算出処理手段７２は、駆動チェーン５の張力信号、または踏み段用チェーン７の張力信号、または、手摺りベルト用チェーン１２の張力信号を入力し、所定の測定時間分の特徴値（ここでは平均値とする）を算出し蓄積する。
【００４５】
外れ判定処理手段７３は、特徴値算出処理手段７２が算出し蓄積した、過去の平均値の変化傾向カーブと、今回算出された平均値とを比較し、今回の平均値が、過去の傾向から外れているかどうかを判定する。判定方法としては、例えば、過去の変化傾向カーブにおける現時刻における予想平均値に対して、今回測定された実際の平均値が１０％以上、ずれているかどうかによって、外れの判定を実施する。その結果、変化傾向から外れていると判定された場合、異常発報処理手段７４にて異常発生を発報する。
【００４６】
上述した異常判定処理終了後、特徴値の変化傾向算出処理手段７５にて、今回の特徴値（平均値）を含めて、変化傾向カーブを更新する。なお、本カーブの算出方法としては、例えば、過去を含めた所定回数分の平均値を用いて、その変化を、最小二乗法を用いて数式として算出する方法などを用いる。
【００４７】
図１２に、過去のチェーン張力の平均値×から、変化傾向カーブを求めた事例と、その
±１０％の範囲を示す。また、今回の平均値を黒三角で示す。この場合、予想される変化値に対して今回の測定値が１０％から外れているため、異常として判定する。
【００４８】
このようにすると、各チェーンの長期間にわたる経年変化の状況を的確に把握することができ、交換のタイミングなどを適切に把握することができる。
【００４９】
なお、上述の説明では、チェーン張力の特徴値を平均値としたが、これに限定されるものでは無く、チェーン張力の特徴を検出できる量であれば、どのような特徴値を用いても良い。例えば、張力変動振幅の平均値や最大値を用いても良い。また、波形のＲＭＳ（実効値）としても良い。
【００５０】
上述した実施の形態では、搬送装置としてエスカレータを例示したが、これに限定されずオートロードやその他の各種コンベアなど、駆動系にチェーンを用いた搬送装置であれば何でもよい。
【００５１】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００５２】
１…駆動用モータ
３…減速機
５…駆動チェーン
７，１２…下流側駆動機構のチェーン
８，１０，１１…駆動側のスプロケット
１６…演算部
１７…インバータ
２１…電流センサー
【要約】
【課題】通常運転を停止することなく、チェーンを有する駆動系の異常や故障の発生を速やかに検出し、チェーンにダメージが生じる前に対処することができる搬送装置を提供する。
【解決手段】駆動用モータ１により回転駆動されるスプロケット８、及びこのスプロケット８に噛み合う駆動チェーン５を駆動系に有する搬送装置であって、駆動用モータ１への出力電流に基づきスプロケット８の出力軸トルクを求め、この出力軸トルクと、駆動チェーン５が噛み合うスプロケット８のピッチ円半径ゲインとから駆動チェーン５の張力を推定する演算部１６を有する。
【選択図】図１【図１】
0005963332.tif 000004
【図２】
0005963332.tif 000005
【図３】
0005963332.tif 000006
【図４】
0005963332.tif 000007
【図５】
0005963332.tif 000008
【図６】
0005963332.tif 000009
【図７】
0005963332.tif 000010
【図８】
0005963332.tif 000011
【図９】
0005963332.tif 000012
【図１０】
0005963332.tif 000013
【図１１】
0005963332.tif 000014
【図１２】
0005963332.tif 000015